(57)【特許請求の範囲】
【請求項１】
底面を構成する底部と側面及び上面を構成する蓋部とに分割可能な筐体と、
該筐体内に配置される補強部材と、を備えた携帯端末において、
前記底部の一端及び当該一端に対向する他端のそれぞれの両端には、内側に向けて開口した第１取付穴を有する第１リブ及び外側に向けて開口した第２取付穴を有する第２リブがそれぞれ立設され、
前記補強部材の両端には壁部がそれぞれ立設され、これら壁部には、外側に突出し前記第１取付穴に係合可能な第１突起部が設けられ、
前記蓋部の両側面には、内側に突出し前記第２取付穴に係合可能な第２突起部が設けられ、
前記蓋部の両側面は、前記壁部を被覆する
ことを特徴とする携帯端末。
【請求項２】
底面を構成する底部と側面及び上面を構成する蓋部とに分割可能な筐体と、該筐体内に配置される補強部材と、を備えた携帯端末の組立構造であって、
前記底部の一端及び当該一端に対向する他端のそれぞれの両端には、内側に向けて開口した第１取付穴を有する第１リブ及び外側に向けて開口した第２取付穴を有する第２リブがそれぞれ立設され、
前記補強部材の両端には壁部がそれぞれ立設され、これら壁部には、外側に突出した第１突起部が設けられ、
前記蓋部の両側面には、内側に突出した第２突起部が設けられ、
前記第１取付穴は、前記第１突起部が係合されることにより、前記底部を前記補強部材へ装着させると共に、
前記第２取付穴は、前記第２突起部が係合されることにより、前記底部を前記蓋部へ装着させ、
前記蓋部の両側面は、前記壁部を被覆する
ことを特徴とする携帯端末の組立構造。
【発明の詳細な説明】
【技術分野】
【０００１】
本発明は、携帯端末及びその組立構造に関するものであり、特に、携帯電話機等の携行可能な携帯端末及びその組立構造に関するものである。
【背景技術】
【０００２】
近年、携帯電話機やＰＤＡ (Personal Digital Assistants)、デジタルカメラ等の携帯端末においては、底部とその周囲に配される側部により箱状に形成された一対のケースを有し、互いのケースの側部頂面を当接させてこれら２つのケースを結合した筐体を備えたものがある（例えば、特許文献１参照）。
また、これらの携帯端末においては、内装される電子部品が複雑化、多様化しており、これら電子部品の組立作業も複雑化している。また、組立工程において様々な電子部品を組み立てるため、搬送工程を要することもある。
【特許文献１】特開平１１−２５２２２５号公報
【発明の開示】
【発明が解決しようとする課題】
【０００３】
ところが、上述した携帯端末では、筐体側面に一対のケースを結合させた境界線が露出することになるため、デザインを考えるうえで制約を受けるという課題がある。また、境界線近傍で静電気が発生すると、接合部から電子部品等を実装した回路基板や他の電気部品までの距離が短いために、接合部から筐体内部に静電気が侵入すると、回路基板上の電子部品や電気部品等に悪影響を与える虞がある。
また、従来の携帯端末においては、電子部品を組み立てて搬送する際、外部からの衝撃を受けると、組み立てた電子部品の配置が乱れてしまうため、搬送工程後に再び電子部品を配置し直す手間を要するという問題がある。
【０００４】
本発明は、このような事情を考慮してなされたもので、筐体の側面に境界線が表れない構造とすることで、デザイン性を高めることができると共に、静電気の筐体内への回り込みを抑え、かつ、組み立てる際に内装する電子部品を配置し直す手間を省略できる携帯端末及びその組立構造を提供することを目的とする。
【課題を解決するための手段】
【０００５】
本発明は、上記課題を解決するため、以下の手段を採用する。
【０００６】
本発明は、底面を構成する底部と側面及び上面を構成する蓋部とに分割可能な筐体と、該筐体内に配置される補強部材と、を備えた携帯端末において、前記底部の一端及び当該一端に対向する他端のそれぞれの両端には、内側に向けて開口した第１取付穴を有する第１リブ及び外側に向けて開口した第２取付穴を有する第２リブがそれぞれ立設され、前記補強部材の両端には壁部がそれぞれ立設され、これら壁部には、外側に突出し前記第１取付穴に係合可能な第１突起部が設けられ、前記蓋部の両側面には、内側に突出し前記第２取付穴に係合可能な第２突起部が設けられ、前記蓋部の両側面は、前記壁部を被覆することを特徴とする。
【０００７】
本発明は、底面を構成する底部と側面及び上面を構成する蓋部とに分割可能な筐体と、該筐体内に配置される補強部材と、を備えた携帯端末の組立構造であって、前記底部の一端及び当該一端に対向する他端のそれぞれの両端には、内側に向けて開口した第１取付穴を有する第１リブ及び外側に向けて開口した第２取付穴を有する第２リブがそれぞれ立設され、前記補強部材の両端には壁部がそれぞれ立設され、これら壁部には、外側に突出した第１突起部が設けられ、前記蓋部の両側面には、内側に突出した第２突起部が設けられ、前記第１取付穴は、前記第１突起部が係合されることにより、前記底部を前記補強部材へ装着させると共に、前記第２取付穴は、前記第２突起部が係合されることにより、前記底部を前記蓋部へ装着させ、前記蓋部の両側面は、前記壁部を被覆することを特徴とする。
【発明の効果】
【０００８】
本発明の携帯端末およびその組立構造によれば、このような構成としたことで、筐体の側面に境界線が表れない構造とするができ、また、デザイン性を高めることができると共に、静電気の筐体内への回り込みを抑えることができる。また、底部の第１リブに補強部材の壁部が係合するとともに、底部の第２リブに蓋部が係合するため、携帯端末内の電子部品の位置が安定するので、携帯端末を組み立てる際に携帯端末に内装する電子部品を配置し直す手間を省略することができる。
【発明を実施するための最良の形態】
【０００９】
以下、本発明の実施の形態について、図１〜図５を参照して説明する。なお、本実施の形態においては、水平方向開閉型の携帯電話機について説明するものであるが、開閉方向を限定するものではなく、また、開閉型以外のいかなる携帯電話機にも適用可能である。さらに本発明の電子機器は、携帯電話機に限定するものではなく、筐体の外部に情報を出力し、あるいは筐体の外部から電子部品に情報を入力する携行可能な電子機器にも適用可能である。
【００１０】
図１及び図２は、携帯電話機１を簡略化した斜視図である。この携帯電話機１は、２つの筐体、すなわち第１の筐体２と第２の筐体３とからなる開閉型の携帯電話機である。これら第１の筐体２の基端と第２の筐体３の基端とは連結部４により連結されており、２つの筐体２，３を重ね合わせた閉状態から開状態とするためには、連結部４を中心に１８０°回動させる。この開状態においては、２つの筐体２，３の対向面が外部に露出することになる。
第１の筐体２の外面には、液晶ディスプレイ装置や有機ＥＬディスプレイ装置等の表示装置２３が設けられる共に、外面先端側にはスピーカ３１が設けられている。
【００１１】
また、第２の筐体３の基端には、無線通信用のアンテナ３４が突出して設けられると共に、第１の筐体２との対向面には、カーソルキー、ファンクションキー、数字キー等からなるメインの入力部３３及びマイクロフォン３２を備えている。
そして、携帯電話機１に備える各種操作を行う際には、はじめに、２つの筐体２，３を閉じた状態から連結部４を中心に第１の筐体２を１８０°回転させることで、第２の筐体３の対向面に備える入力部３３を外部に露出させる。次いで、この露出状態において、入力部３３を操作することにより、通話や携帯電話機１に設けられた各種アプリケーションの起動や操作を行うことができる。
【００１２】
図３は、第１の筐体２を分解した図である。また、図４は、第１の筐体２を組み立てたときの断面図である。この第１の筐体２は、底部５と蓋部６とに上下方向に分割可能に構成されている。底部５上には不図示の電子部品を実装した基板７が取り付けられ、この基板７を底部５との間に内包するように補強部材８が取り付けられている。そして、これら基板７、補強部材８及び補強部材８の上部に設置する後述の表示装置２３を覆うように、蓋部６が底部５に取り付けられている。また、蓋部６の上部には、蓋部６の上面を保護する透明の保護板９が取り付けられている。
【００１３】
底部５は、基板７を搭載できるように略矩形状に形成されている。この底部５は、蓋部６を取り付けたときに第１の筐体２の底面を構成するものである。底部５の幅方向両端であって長手方向中央には、内側に向けて開口した２つの（第１）取付穴１０を有する（第１）リブ１１が立設されている。また、底部５の幅方向両端であってリブ１１の両側には、外側に向けて開口した２つの（第２）取付穴１２を有する（第２）リブ１３がそれぞれ立設されている。そして、底部５の長手方向両端であって幅方向両端には、底部５と蓋部６とをネジで取り付けるためのネジ穴１４がそれぞれ設けられている。これらネジ穴１４は、底部５の下面よりも内側に凹むように形成されている。
【００１４】
補強部材８は、基板７を内包できるように略矩形状に形成されている。この補強部材８の周縁には壁部１５が立設されており、補強部材８の全周を囲うように配置されている。補強部材８の幅方向両端に配置された壁部１５の外側の中央には、外側に向けて突出し前述した底部５の取付穴１０に係合可能な（第１）突起部１６が設けられている。ここで、リブ１１の取付穴１０と補強部材８の突起部１６とで第１係合手段を構成する。また、補強部材８の中央には開口部１７が設けられている。
【００１５】
蓋部６は、基板７及び補強部材８を被覆できるように、中央に表示装置２３を表示する表示用孔１８を有する平板部１９及びこの平板部１９の周縁を囲う側壁部２０を備えている。これら平板部１９及び側壁部２０は、それぞれ第１の筐体２の上面及び側面を構成するものである。この側壁部２０の幅方向両端の内側には、内側に向けて突出し内側に突出し前述した底部５の取付穴１２に係合可能な（第２）突起部２１が設けられている。ここで、リブ１３の取付穴１２と蓋部６の突起部２１とで第２係合手段を構成する。そして、蓋部６の内部の長手方向両端であって幅方向両端には、底部５の各ネジ穴１４に対応したネジ穴２２がそれぞれ設けられている。
【００１６】
このような携帯電話機１において、第１の筐体２を組み立てる際、底部５に基板７を載置し、その上部に補強部材８を基板７を内包するように取り付ける。このとき、リブ１１の取付穴１０に突起部１６を係合させる。ここで、底部５と補強部材８とが基板７を内包した状態で一体化される。この場合、基板７の配置を安定させた状態で底部５を携行できるため、第１の筐体２を組み立てる際に基板７を配置し直す手間を省略することができる。
【００１７】
その後、補強部材８上に表示装置２３を設置して、これら基板７、補強部材８及び表示装置２３を覆うように、底部５に蓋部６を取り付ける。このとき、リブ１３の取付穴１２に突起部２１を係合させる。ここで、底部５と蓋部６とが、基板７、補強部材８及び表示装置２３を内装した状態で一体化されるとともに、蓋部６上に保護板９を装着して第１の筐体２として一体化されることとなる。この場合、表示装置２３の配置を安定させた状態で第１の筐体２を携行できるため、携帯電話機１を組み立てる際に表示装置２３を配置し直す手間を省略することができる。また、取付穴１２が取付穴１０の両側に配置されていることで、底部５に蓋部６をより安定した状態で取り付けられるため、第１の筐体２を組み立てた状態が崩れるのを防ぐことができる。
【００１８】
そして、底部５のネジ穴１４から蓋部６のネジ穴ヘネジを挿入して、底部５と蓋部６とをネジ止めによって固定する。ここで、図５に示すように、これらネジ穴１４が底部５の下面よりも内側に凹むように形成されており、また、底部５と蓋部６との境界が底部５の周縁に位置することで、第１の筐体２の美観性の向上を図ることができ、さらには携帯電話機１の美観性の向上を図ることができる。
【００１９】
また、補強部材８の周縁に壁部１５が全周を囲うように配置されており、底部５と蓋部６との境界が底部５の周縁に位置することから、第１の筐体２内に静電気が入り込んだ場合でも、底部５と蓋部６との境界から表示装置２３の端部までの経路が長いため、この静電気が表示装置２３まで到達しにくくなる。したがって、表示装置２３が外部からの静電気によって不具合を生じるのを防ぐことができる。
【００２０】
なお、上記実施の形態において、補強部材８は平面状に形成されているが、図示しない電子部品を搭載するために複雑な形状に形成されてもよい。
また、上記実施の形態において、リブ１１及びリブ１３の個数及び配置は、組み立てに支障ない限りにおいて任意でよい。
また、上記実施の形態において、第１の筐体２ではなく第２の筐体３で上記のような構成としてもよい。
【００２１】
また、上記実施の形態において、第１係合手段において係合する取付穴及び突起部の凹凸が逆であってもよい。すなわち、リブ１１の取付穴１０に代えて突起部を外側に向けて突出するように設けるとともに、壁部１５の突起部１６に代えて取付穴を内側に向けて開口するように設けて、これら取付穴及び突起部で第１係合手段を構成してもよい。
これと同様に、第２係合手段において係合する取付穴及び突起部の凹凸が逆であってもよい。すなわち、リブ１３の取付穴１２に代えて突起部を外側に向けて突出するように設けるとともに、蓋部６の突起部２１に代えて取付穴を内側に向けて開口するように設けて、これら取付穴及び突起部で第２係合手段を構成してもよい。
【図面の簡単な説明】
【００２２】
【図１】本発明における実施の形態に係る携帯電話機の斜視図である。
【図２】図１の携帯電話機において、２つの筐体を相互に閉じた状態を示す斜視図である。
【図３】図１の携帯電話機の第１の筐体の分解図である。
【図４】図３の第１の筐体を組み立てたときの断面図である。
【図５】図３の第１の筐体を裏面から見たときの斜視図である。
【符号の説明】
【００２３】
１  携帯電話機（携帯端末）
２  第１の筐体（筐体）
３  第２の筐体
５  底部
６  蓋部
７  基板
８  補強部材
１０  （第１）取付穴（第１係合手段）
１１  （第１）リブ
１２  （第２）取付穴（第２係合手段）
１３  （第２）リブ
１５  壁部
１６  （第１）突起部（第１係合手段）
１９  平板部
２０  側壁部
２１  （第２）突起部（第２係合手段）
２３  表示装置
【図１】
0004537898.tif 000002
【図２】
0004537898.tif 000003
【図３】
0004537898.tif 000004
【図４】
0004537898.tif 000005
【図５】
0004537898.tif 000006